(57)【要約】【課題】雌ネジ部が形成されるネジ穴に接着剤を容易に注入できるようにした基板を提供して、雄ネジの緩みを確実に防止する。【解決手段】雄ネジ部受入れ用の雌ネジ部が形成されているネジ穴の周部に接着剤注入用の溝部を備えた基板である。雄ネジ部を雌ネジ部に捩じ込んだ後に、接着剤注入用の通路として溝部が存在している。よって、接着剤を注入すると基板の内部に容易に浸透させることができる。このように浸透した接着剤は雄ネジ部と雌ネジ部とを接着するので雄ネジの緩みを確実に抑制できる【選択図】　　　　図４
2004028239.tif 000002
【特許請求の範囲】
【請求項１】
雄ネジ部受入れ用の雌ネジ部が形成されているネジ穴の周部に接着剤注入用の溝部を備えたことを特徴とする基板。
【請求項２】
請求項１に記載の基板において、
前記溝部が前記ネジ穴の周部に複数形成されていることを特徴とする基板。
【請求項３】
請求項１に記載の基板において、
前記溝部は該基板の表面から裏面に貫通して形成されていることを特徴とする基板。
【請求項４】
請求項１に記載の基板において、
前記溝部の一端は接着剤注入用に開口し、他端は閉塞していることを特徴とする基板。
【請求項５】
請求項１から４のいずれか記載の基板において、
前記溝部は前記雄ネジ部側に向けて傾斜するテーパ面を有することを特徴とする基板。
【請求項６】
雄ネジ部受入れ用の雌ネジ部が形成されているネジ穴の周部に接着剤注入用の溝部を備えたことを特徴とするナット。
【請求項７】
請求項６に記載のナットにおいて、
前記溝部が前記ネジ穴の周部に複数形成されていることを特徴とするナット。
【請求項８】
請求項６に記載のナットにおいて、
前記溝部は該ナットの表面から裏面に貫通して形成されていることを特徴とするナット。
【請求項９】
請求項６に記載のナットにおいて、
前記溝部の一端は接着剤注入用に開口し、他端は閉塞していることを特徴とするナット。
【請求項１０】
請求項６から９のいずれか一項記載のナットにおいて、
前記溝部は前記雄ネジ部側に向けて傾斜するテーパ面を有することを特徴とするナット。
【請求項１１】
請求項６から１０のいずれかに記載したナットを雄ネジ部受入れ用に設けた開口内に固定したことを特徴とする基板。
【請求項１２】
雄ネジと、前記雄ネジの雄ネジ部を受入れる雌ネジ部が形成されているネジ穴を有する基板と、前記ネジ穴の周部を切欠き前記雄ネジの回動を規制するための接着剤を注入するための溝部とを含み、
前記溝部に注入され硬化した接着剤により、前記基板に対する前記雄ネジの回動を規制するようにしたことを特徴とするネジ緩み止め構造。
【発明の詳細な説明】
【０００１】
【発明の属する技術分野】
本発明は、基板等に捩じ込んだ雄ネジの緩みを防止する技術に関する。特に、一度、捩じ込まれた雄ネジが緩んで回動することを防止するため、接着剤を用いて緩み止めする技術に関する。
【０００２】
【従来の技術】
電子機器等の内部において、ネジは一般に所望の部品を特定位置に固定するために用いられている。ネジによる固定構造を微視的に見ると、捩じ込む側の雄ネジと、これを受入れる雌ネジとが相互に噛合することにより固定構造が実現されている。一般に螺子（ネジ）或いはビスと称されるのは雄ネジであり、その円柱形の軸部に雄型のネジ山（以下、雄ネジ部と称す）を備えている。一方、雌ネジは、部品等を固定する基板等にネジ穴を開口した後、その内壁にダイス等を用いて雌型のネジ山（以下、雌ネジ部と称す）が形成されており、基板等の一部として存在している場合が多い。ただし、ナットは雌ネジが単体で存在する形態である。
【０００３】
前述したように、雌ネジ内で雄ネジが動かないように捩じ込むことで部品等を固定することがネジの一般的な用い方である。しかし、ネジはこれ以外に、例えば回路基板側に形成されている雌ネジに雄ネジを捩じ込みその先端を突出させることで、回路基板の高さ調整や角度調整に用いられる場合がある。このようにネジを調整用に用いる場合には、部品を定位置に固定することを目的とした場合と比較すると、その締結力は弱めでよい。しかしながら、一度捩じ込んだ雄ネジが後に回動してしまい緩むと設定した高さや角度が維持できないことになる。
【０００４】
そこで、従来から雄ネジを雌ネジ（ネジ穴）に捩じ込んだ後に、ネジ穴に接着剤を注入して雄ネジが緩まないように工夫している。
【０００５】
【発明が解決しようとする課題】
図１は従来において雄ネジが捩じ込まれるネジ穴を有する基板の平面図、図２は基板に雄ネジを捩じ込んだときの様子を、図１でのＹ−Ｙ矢視で示した図である。図１に示すように、従来、基板１００側に形成されるネジ穴１０１の開口はほぼ円形であり、このネジ穴の内壁には雌ネジ部が形成されている。
【０００６】
図２では、基板１００に雄ネジ１０が捩じ込まれている。この雄ネジ１０に形成された雄ネジ部１１は、基板１００のネジ穴１０１内の雌ネジ部１０２と噛合している。従来においてはこの状態で、雄ネジ１０が回動しないように規制するため、接着剤をネジ穴１０１の端部から注入している。図２では、雄ネジ１０が突出したネジ穴１０１の下側から接着剤１０５を注入した場合を示している。接着剤１０５は図示しない注射器等の圧入器具を用いて注入される。
【０００７】
しかし、カスタムメイドではなく大量に製造される雄ネジ１０は一般に寸法精度が低い。よって、雌ネジ部１０２内での雄ネジ部１１の状態は一定ではなく、噛み合いがきつい場合や緩い場合がある。よって、図２で例示するようにネジ穴１０１の内部まで接着剤１０５を均一に注入することは容易でなく、入り口部分で停滞する状態となってしまう。このような状態では接着剤１０５により雄ネジ部１１と雌ネジ部１０２とを接着させることができず、雄ネジ１０の緩みを確実に防止することができない。
【０００８】
なお、雄ネジ１０の軸部に沿うようにＶ溝を形成して、接着剤を注入するという手法も考えられる。しかしながら、このような雄ネジはカスタムメイドとなりコストアップを招く。また、雄ネジ１０の強度が低下するという問題もあり採用することができない。
【０００９】
したがって、本発明の主な目的は、雌ネジ部が形成されるネジ穴に接着剤を容易に注入できるようにした基板を提供して、雄ネジの弛みを確実に防止することである。
【００１０】
【課題を解決するための手段】
上記目的は請求項１に記載の如く、雄ネジ部受入れ用の雌ネジ部が形成されているネジ穴の周部に接着剤注入用の溝部を備えた基板により達成される。
【００１１】
請求項１記載の発明によれば、雄ネジ部を雌ネジ部に捩じ込んだ後に、接着剤注入用の通路として溝部が存在している。よって、接着剤を注入すると基板の内部に容易に浸透させることができる。このように浸透した接着剤が硬化すると雄ネジ部と雌ネジ部とを接着するので雄ネジの緩みを確実に抑制できる。
【００１２】
また、請求項２に記載のように、請求項１に記載の基板において、前記溝部が前記ネジ穴の周部に複数形成されていてもよい。
【００１３】
請求項２記載の発明によれば、複数の溝部から接着剤を注入できるのでより確実に雄ネジ部と雌ネジ部との接着を実現できる。何個の溝部を設けるかは、雌ネジの強度等を考慮して適宜定めればよい。また、溝部の断面形状は円形、三角形、四角形、多角形のいずれでもよく、また複数設けた溝部の断面形状は互いに異なる形状でも、同一でもよい。また、断面積は互いに異なっても、同一でもよい。
【００１４】
また、請求項３に記載のように、請求項１に記載の基板において、前記溝部は該基板の表面から裏面に貫通して形成してもよい。
【００１５】
請求項３に記載の発明であれば、溝部が貫通しているので接着剤を極めて容易に注入することができる。
【００１６】
また、請求項４に記載するように、請求項１に記載の基板において、前記溝部の一端は接着剤注入用に開口し、他端は閉塞している形態としてもよい。
【００１７】
請求項４に記載の発明では、他端が閉塞しているので溝部を設けたことによる強度低下をより確実に低減できる。なお、複数の溝部を設けた場合には、全ての溝部の他端を閉塞とする必要はなく、貫通状態の溝部と混在してもよい。
【００１８】
また、請求項５に記載のように、請求項１から４のいずれか一項記載の基板において、前記溝部は前記雄ネジ部側に向けて傾斜するテーパ面を有する形状としてもよい。
【００１９】
請求項５に記載の発明では、溝部が雄ネジ部側に向け傾斜しているので先に注入した接着剤を確実に雄ネジ側に導くことができる。また、雌ネジ周りに溝部を設けたことによる強度低下の影響を軽減できる。
【００２０】
上記目的は請求項６に記載の如く、雄ネジ部受入れ用の雌ネジ部が形成されているネジ穴の周部に接着剤注入用の溝部を備えたナットによっても達成できる。
【００２１】
前述したように、ナットは雌ネジが単体で存在する形態であるが、接着剤注入用の溝部を設けることにより、同様に捩じ込まれた雄ネジ（ボルト）の緩みを防止できる。
【００２２】
そして、前述した基板の場合と同様に種々の形態を採用できる。すなわち、請求項７に記載のように、請求項６に記載のナットにおいて、前記溝部が前記ネジ穴の周部に複数形成されてもよい。
【００２３】
また、請求項８に記載のように、請求項６に記載のナットにおいて、前記溝部は該ナットの表面から裏面に貫通して形成されていてもよい。
【００２４】
また、請求項９に記載のように、請求項６に記載のナットにおいて、前記溝部の一端は接着剤注入用に開口し、他端は閉塞している形態としてもよい。
【００２５】
また、請求項１０に記載のように、請求項６から９のいずれか一項記載のナットにおいて、前記溝部は前記雄ネジ部側に向けて傾斜するテーパ面を有する形状としてもよい。
【００２６】
そして、請求項１１に記載のように、請求項６から１０のいずれかに記載したナットを雄ネジ部受入れ用に設けた開口内に固定した基板とすると、基板のネジ穴に雌ネジ部を設けたと同様の効果を得ることもできる。
【００２７】
さらに、本明細書で開示する発明の範疇には、請求項１２に記載のように、雄ネジと、前記雄ネジの雄ネジ部を受入れる雌ネジ部が形成されているネジ穴を有する基板と、前記ネジ穴の周部を切欠き前記雄ネジの回動を規制するための接着剤を注入するための溝部とを含み、
前記溝部に注入され硬化した接着剤により、前記基板に対する前記雄ネジの回動を規制するようにしたネジ緩み止め構造も含まれる。
【００２８】
【発明の実施の形態】
以下、図面に基づいて本発明の実施例を説明する。
【００２９】
図３は雌ネジが形成されているネジ穴を備えた第１実施例の基板を平面で示した図であり、図４はこの基板に雄ネジを捩じ込んだときの様子を、図３でのＹ−Ｙ矢視で示した図である。なお、この「基板」には、当然に電子回路が形成された回路基板等が含まれる。しかし、これに限定するものではない。この「基板」の語は、雄ネジ部が捩じ込まれる雌ネジ部が形成されている板状部材を広く含むものである。この板状の部材の材質は金属製、樹脂製のいずれでもよく、また厚さ、大きさ等についても特段の限定はない。例えば、電子機器のベース材に高さ調整して固定される部品からフランジ部が延在し、このフランジ部に雌ネジが形成されている場合。このフランジ部は、本明細書でいう「基板」に相当している。
【００３０】
図３に示すように、本実施例の基板１は雌ネジ部が形成されているネジ穴２が従来とは異なる断面形状を成している。ネジ穴２の周部を切り欠いて、接着剤注入用の溝部３が形成されている。この溝部３は、例えば接着剤を圧入するのに用いる注射器の針先が治まる程度の大きさの開口断面積を有し、溝状に形成されている。図３ではこの開口が円弧型となっているが、Ｖ字、矩形、多角形等としてもよい。ここに示す溝部３は、基板１の表面から裏面まで貫通した状態で形成されている。
【００３１】
図４では、雄ネジ１０の雄ネジ部１１がネジ穴２の雌ネジ部１２と噛合した状態を示している。本実施例の基板１では、雌ネジ部１２内に雄ネジ部１１が存在した状態となっても貫通状態の溝部３が存在しているので、図４で示すように接着剤１０５が容易に内部側に進入できる。よって、接着剤の注入作業も楽であり、押出した接着剤がネジ穴２の端部に停滞することなく基板内に速やかに浸透するので、接着剤を無駄なく効果的に用いることができる。
【００３２】
図４に示したように接着剤１０５を浸透させることができれば、雄ネジ部１１のネジ山と雌ネジ部１２のネジ山との間での毛細間現象により接着剤１０５がさらに細部に浸透する。このようにネジの奥まで浸透した接着剤１０５が硬化すると、ネジ山同士を確実に接着させたネジ緩み防止構造が体現される。
【００３３】
なお、基板１の雌ネジ部１２は、基板１にネジ穴２を設けた後にダイス等を捩じ込んで形成される。基板が金属材である場合にはプレスによりネジ穴２を打抜けばよいので、プレス用のパンチの形状を図３で示す溝部を含んだ形に成型しておけば従来と同様の工程で本実施例の基板１を製造できる。また、基板が樹脂材料である場合には樹脂材を流しこむ金型内に図３で示す溝部を含んだ形のピンを立設しておけば本実施例の基板１を従来と同様に製造できる。すなわち、本実施例のネジ穴２３を形成する工程は従来と殆ど変えることなく精度よく本基板１を製造できる。
【００３４】
図５は、ネジ穴２に複数の溝部３を形成した第１実施例の変形例を示した図である。先に示した図３及び図４では、接着剤注入用の溝部３を１つ形成した例を示していたが、図５に示すように複数形成してもよい。図５では、３つの溝部３−１、３−２、３−３が例示されている。このように、溝部３は必要により複数設けることで、接着剤をより確実に基板１の内部側に浸透させることができる。ただし、ネジ穴２の内壁を切り欠いて溝部３を形成するので、雌ネジ１２の強度低下等も考慮し設ける溝部３の数を決めることが必要である。
【００３５】
さらに、図５で示すように、複数の溝部３を設定した場合には同一形状であっても、異なる形状であってもよい。図５では全て異なる断面形状の溝部３を示している。用いる接着剤の粘度が高いような場合には溝部３−１のようにネジ穴の周部を広く切り欠いて形成することが望ましい。また、雌ネジ部１２の強度を確保する観点からは溝部３−１のように形成して、雄ネジ部との接触面積を大きく取るようにすることが望ましい。
【００３６】
図６は、前記溝部３の一端を閉塞した場合の変形例を示している。先に示した溝部３は図４に示したように基板の一端（表面）から他端（裏面）まで貫通した溝であったが、図６の参照符号４で示すよう他端（裏面側）を閉塞してもよい。このような構造とすることで、溝部３を設けたことによるネジ穴２の強度低下を抑制できる。また、溝部３の縦断面が開口から深部になるに従って傾斜するテーパ面５を形成してもよい。このようにすると、深部側で接着剤１０５を雄ネジ部１１側に案内できる。なお、図６ではテーパ面５を終部に形成しているが、接着剤が注入される開口部から直ぐに傾斜するように形成してもよい。
【００３７】
図７及び図８は本発明の第２実施例のナットについて示した図である。図７は実施例のナット２０の平面図、図８はこのナット２０を基板１に固定した様子を示した図である。前述したようにナットには雌ネジ部が形成されている。よって、図７に示すようにナット２０のネジ穴２２に、前述した基板のネジ穴の場合と同様に接着剤注入用の溝部２３を設けることでは図示を省略した雄ネジ（ボルト）の効果的な緩み止めを実現できる。
【００３８】
図８は、図７に示したナット２０を使用する一例を示した図である。基板１にナット受入れ用の開口２５を設け、ここにナット２０を固着する。このようなナット２０は前述したネジ穴に設けた雌ネジとして機能するので、同様の緩み止め効果を得ることができる。
【００３９】
以上本発明の好ましい実施例について詳述したが、本発明は係る特定の実施形態に限定されるものではなく、特許請求の範囲に記載された本発明の要旨の範囲内において、種々の変形・変更が可能である。
【００４０】
【発明の効果】
以上詳述したところから明らかなように、本発明によれば、雄ネジ部を雌ネジ部に捩じ込んだ後に、接着剤注入用の通路として溝部が存在している。よって、接着剤を注入すると基板の内部に容易に浸透させることができる。このように浸透した接着剤は雄ネジ部と雌ネジ部とを接着するので雄ネジの緩みを確実に抑制できる。
【図面の簡単な説明】
【図１】従来において雄ネジが捩じ込まれるネジ穴を有する基板の平面図である。
【図２】基板に雄ネジを捩じ込んだときの様子を、図１でのＹ−Ｙ矢視で示した図である。
【図３】雌ネジが形成されているネジ穴を備えた第１実施例の基板を平面で示した図である。
【図４】基板に雄ネジを捩じ込んだときの様子を、図３でのＹ−Ｙ矢視で示した図である。
【図５】ネジ穴に複数の溝部を形成した第１実施例の変形例を示した図である。
【図６】溝部の一端を閉塞した場合の第１実施例の変形例を示した図である。
【図７】第２実施例のナットを平面で示した図である。
【図８】図７で示したナットを基板に固定した様子を示した図である。
【符号の説明】
１　　　　基板
２　　　　ネジ穴
３　　　　溝部
１０　　　雄ネジ
１１　　　雄ネジ部
１２　　　雌ネジ部
１０５　　接着剤
２０　　　ナット
２２　　　ネジ穴
２３　　　溝部
【図１】
2004028239.tif 000003
【図２】
2004028239.tif 000004
【図３】
2004028239.tif 000005
【図４】
2004028239.tif 000006
【図５】
2004028239.tif 000007
【図６】
2004028239.tif 000008
【図７】
2004028239.tif 000009
【図８】
2004028239.tif 000010